(57)【特許請求の範囲】
【請求項１】
自局のセル内の移動局に対してＭＢＭＳデータを送信する複数の無線基地局を有してなる無線通信システムであって、
前記複数の無線基地局の各々は、
自局がマスター基地局であるか否かを示すフラグを記憶する記憶部と、
自局がマスター基地局である場合、上位ノードからのＭＢＭＳの開始要求に応じて、ＭＢＭＳデータの送信用のチャネルに設定する無線パラメータセットを決定する決定部と、
自局がマスター基地局である場合、前記決定部にて決定された無線パラメータセットを、少なくとも２つの他の無線基地局に通知する通知部と、
自局がマスター基地局でない場合、マスター基地局から通知された無線パラメータセットを取得する取得部と、
自局がマスター基地局である場合、前記決定部にて決定された無線パラメータセットを前記チャネルに設定し、自局がマスター基地局でない場合、前記取得部にて取得された無線パラメータセットを前記チャネルに設定する設定部と、を有する、無線通信システム。
【請求項２】
自局のセル内の移動局に対してＭＢＭＳデータを送信する無線基地局であって、
自局がマスター基地局であるか否かを示すフラグを記憶する記憶部と、
自局がマスター基地局である場合、上位ノードからのＭＢＭＳの開始要求に応じて、ＭＢＭＳデータの送信用のチャネルに設定する無線パラメータセットを決定する決定部と、
自局がマスター基地局である場合、前記決定部にて決定された無線パラメータセットを、少なくとも２つの他の無線基地局に通知する通知部と、
自局がマスター基地局でない場合、マスター基地局から通知された無線パラメータセットを取得する取得部と、
自局がマスター基地局である場合、前記決定部にて決定された無線パラメータセットを前記チャネルに設定し、自局がマスター基地局でない場合、前記取得部にて取得された無線パラメータセットを前記チャネルに設定する設定部と、を有する、無線基地局。
【請求項３】
前記通知部は、
自局がマスター基地局でない場合、マスター基地局を含む他の無線基地局から無線パラメータセットが通知されると、該無線パラメータセットをさらに別の無線基地局に通知し、
前記取得部は、
自局がマスター基地局でない場合、マスター基地局から直接または他の無線基地局を介して間接的に通知された無線パラメータセットを取得する、請求項２に記載の無線基地局。
【請求項４】
前記通知部は、
前記無線パラメータセットとともに、前記無線パラメータセットの設定日時を通知し、
前記設定部は、
自局がマスター基地局でない場合、前記取得部にて取得された無線パラメータセットの設定日時が、その時点で前記チャネルに設定している無線パラメータセットの設定日時よりも後である場合に、前記取得部にて取得された無線パラメータセットを前記チャネルに設定する、請求項２または３に記載の無線基地局。
【請求項５】
前記通知部は、
前記無線パラメータセットとともに、前記無線パラメータセットのシーケンス番号を通知し、
前記設定部は、
自局がマスター基地局でない場合、前記取得部にて取得された無線パラメータセットのシーケンス番号が、その時点で前記チャネルに設定している無線パラメータセットのシーケンス番号よりも新しい場合に、前記取得部にて取得された無線パラメータセットを前記チャネルに設定する、請求項２または３に記載の無線基地局。
【請求項６】
前記記憶部は、
自局と同じグループに属する無線基地局のリストをさらに記憶し、
前記設定部は、
自局がマスター基地局でない場合、前記取得部にて無線パラメータセットを取得した無線基地局が自局と同じグループに属していれば、前記取得部にて取得された無線パラメータセットを前記チャネルに設定する、請求項２から５のいずれか１項に記載の無線基地局。
【請求項７】
自局のセル内の移動局に対してＭＢＭＳデータを送信する無線基地局による無線通信方法であって、
自局がマスター基地局であるか否かを示すフラグを記憶する記憶ステップと、
自局がマスター基地局である場合、上位ノードからのＭＢＭＳの開始要求に応じて、ＭＢＭＳデータの送信用のチャネルに設定する無線パラメータセットを決定する決定ステップと、
自局がマスター基地局である場合、前記決定ステップにて決定された無線パラメータセットを、少なくとも２つの他の無線基地局に通知する通知ステップと、
自局がマスター基地局でない場合、マスター基地局から通知された無線パラメータセットを取得する取得ステップと、
自局がマスター基地局である場合、前記決定ステップにて決定された無線パラメータセットを前記チャネルに設定し、自局がマスター基地局でない場合、前記取得ステップにて取得された無線パラメータセットを前記チャネルに設定する設定ステップと、を有する、無線通信方法。
【請求項８】
自局のセル内の移動局に対してＭＢＭＳデータを送信する無線基地局に、
自局がマスター基地局であるか否かを示すフラグを記憶する記憶手順と、
自局がマスター基地局である場合、上位ノードからのＭＢＭＳの開始要求に応じて、ＭＢＭＳデータの送信用のチャネルに設定する無線パラメータセットを決定する決定手順と、
自局がマスター基地局である場合、前記決定手順にて決定された無線パラメータセットを、少なくとも２つの他の無線基地局に通知する通知手順と、
自局がマスター基地局でない場合、マスター基地局から通知された無線パラメータセットを取得する取得手順と、
自局がマスター基地局である場合、前記決定手順にて決定された無線パラメータセットを前記チャネルに設定し、自局がマスター基地局でない場合、前記取得手順にて取得された無線パラメータセットを前記チャネルに設定する設定手順と、を実行させるプログラム。
【発明の詳細な説明】
【技術分野】
【０００１】
本発明は、無線通信システム、無線基地局、無線通信方法、プログラムに関する。
【背景技術】
【０００２】
３ＧＰＰ（3rd  Generation  Partnership  Projects）では、ＭＢＭＳ（Multimedia  Broadcast  Multicast  Service）と呼ばれるサービスが規定されている（特許文献１，２）。【０００３】
ＭＢＭＳとは、複数の移動局に対して、動画や音楽などのマルチメディアデータ（以下、ＭＢＭＳデータと称す）を、ブロードキャストまたはマルチキャストで同時に送信するサービスである。【０００４】
また、３ＧＰＰでは、ＭＢＭＳを提供する方式として、ＭＢＳＦＮ（Multicast  Broadcast  Single  Frequency  Network）と呼ばれる方式が規定されている。【０００５】
ＭＢＳＦＮとは、複数の無線基地局の各々が、自局で形成するセルにおいてＭＢＭＳデータの送信に使用するチャネルに同一の無線パラメータセット（周波数等）を設定し、同一のＭＢＭＳデータを移動局に送信する方式である。【０００６】
これにより、移動局から見ると、複数の無線基地局の各々が形成する複数のセルを１つの大きな通信エリアとみなすことができる。この通信エリアは、ＭＢＳＦＮクラスターと呼ばれている。【０００７】
Ｗ−ＣＤＭＡ（Wideband  Code  Division  Multiple  Access）方式の無線通信システムにおいては、一般的に、無線基地局（ＮｏｄｅＢ）と無線基地局制御局（ＲＮＣ：Radio  Network  Controller）とが異なる装置に分かれている。【０００８】
そのため、Ｗ−ＣＤＭＡ方式の無線通信システムにおいて、ＭＢＳＦＮを用いてＭＢＭＳを提供する場合、無線基地局制御局は、配下の無線基地局に対し、無線基地局が使用する無線パラメータを指定する。【０００９】
これにより、無線基地局間の無線パラメータの整合を取ることができるため、複数の無線基地局をまたがって、ＭＢＳＦＮクラスターを形成することが可能となる。
【先行技術文献】
【特許文献】
【００１０】
【特許文献１】特表２００７−５０２０７０号公報
【特許文献２】特表２００７−５２１７７７号公報
【発明の概要】
【発明が解決しようとする課題】
【００１１】
ところで、最近の無線通信システムの中には、無線基地局として、セル径が小さなフェムト無線基地局（ＨＮＢ：Home  Node  B）を設けたものがある。【００１２】
しかし、フェムト無線基地局は、無線基地局制御局（ＲＮＣ）の機能が無線基地局（ＮｏｄｅＢ）に縮退された構成であるため、フェムト無線基地局間で無線パラメータの整合を取るのが困難であり、その結果、ＭＢＳＦＮクラスターを形成することができないという課題があった。【００１３】
そこで、本発明の目的は、上記の課題を解決することができる無線通信システム、無線基地局、無線通信方法、プログラムを提供することにある。
【課題を解決するための手段】
【００１４】
本発明の無線通信システムは、
自局のセル内の移動局に対してＭＢＭＳデータを送信する複数の無線基地局を有してなる無線通信システムであって、
前記複数の無線基地局の各々は、
自局がマスター基地局であるか否かを示すフラグを記憶する記憶部と、
自局がマスター基地局である場合、ＭＢＭＳデータの送信用のチャネルに設定する無線パラメータセットを決定する決定部と、
自局がマスター基地局である場合、前記決定部にて決定された無線パラメータセットを他の無線基地局に通知する通知部と、
自局がマスター基地局でない場合、マスター基地局から通知された無線パラメータセットを取得する取得部と、
自局がマスター基地局である場合、前記決定部にて決定された無線パラメータセットを前記チャネルに設定し、自局がマスター基地局でない場合、前記取得部にて取得された無線パラメータセットを前記チャネルに設定する設定部と、を有する。【００１５】
本発明の無線基地局は、
自局のセル内の移動局に対してＭＢＭＳデータを送信する無線基地局であって、
自局がマスター基地局であるか否かを示すフラグを記憶する記憶部と、
自局がマスター基地局である場合、ＭＢＭＳデータの送信用のチャネルに設定する無線パラメータセットを決定する決定部と、
自局がマスター基地局である場合、前記決定部にて決定された無線パラメータセットを他の無線基地局に通知する通知部と、
自局がマスター基地局でない場合、マスター基地局から通知された無線パラメータセットを取得する取得部と、
自局がマスター基地局である場合、前記決定部にて決定された無線パラメータセットを前記チャネルに設定し、自局がマスター基地局でない場合、前記取得部にて取得された無線パラメータセットを前記チャネルに設定する設定部と、を有する。【００１６】
本発明の無線通信方法は、
自局のセル内の移動局に対してＭＢＭＳデータを送信する無線基地局による無線通信方法であって、
自局がマスター基地局であるか否かを示すフラグを記憶する記憶ステップと、
自局がマスター基地局である場合、ＭＢＭＳデータの送信用のチャネルに設定する無線パラメータセットを決定する決定ステップと、
自局がマスター基地局である場合、前記決定ステップにて決定された無線パラメータセットを他の無線基地局に通知する通知ステップと、
自局がマスター基地局でない場合、マスター基地局から通知された無線パラメータセットを取得する取得ステップと、
自局がマスター基地局である場合、前記決定ステップにて決定された無線パラメータセットを前記チャネルに設定し、自局がマスター基地局でない場合、前記取得ステップにて取得された無線パラメータセットを前記チャネルに設定する設定ステップと、を有する。【００１７】
本発明のプログラムは、
自局のセル内の移動局に対してＭＢＭＳデータを送信する無線基地局に、
自局がマスター基地局であるか否かを示すフラグを記憶する記憶手順と、
自局がマスター基地局である場合、ＭＢＭＳデータの送信用のチャネルに設定する無線パラメータセットを決定する決定手順と、
自局がマスター基地局である場合、前記決定手順にて決定された無線パラメータセットを他の無線基地局に通知する通知手順と、
自局がマスター基地局でない場合、マスター基地局から通知された無線パラメータセットを取得する取得手順と、
自局がマスター基地局である場合、前記決定手順にて決定された無線パラメータセットを前記チャネルに設定し、自局がマスター基地局でない場合、前記取得手順にて取得された無線パラメータセットを前記チャネルに設定する設定手順と、を実行させる。
【発明の効果】
【００１８】
本発明によれば、複数の無線基地局の各々は、自局がマスター基地局である場合、ＭＢＭＳデータの送信用のチャネルに設定する無線パラメータセットを決定し、決定した無線パラメータセットをチャネルに設定するとともに、他の無線基地局に通知する。【００１９】
また、複数の無線基地局の各々は、自局がマスター基地局でない場合、マスター基地局から通知された無線パラメータセットを取得し、取得した無線パラメータセットをチャネルに設定する。【００２０】
したがって、複数の無線基地局の各々は、同一の無線パラメータセットをチャネルに設定することが可能になるため、無線基地局制御局（ＲＮＣ）がなくても、ＭＢＳＦＮクラスターを形成することが可能になるという効果を奏する。
【図面の簡単な説明】
【００２１】
【図１】本発明の無線通信システムの構成を示す図である。
【図２】本発明の第１の実施形態のフェムト無線基地局の構成を示すブロック図である。
【図３】本発明の第２の実施形態のフェムト無線基地局の構成を示すブロック図である。
【発明を実施するための形態】
【００２２】
以下に、本発明を実施するための形態について図面を参照して説明する。
【００２３】
なお、以下で説明する実施形態では、本発明を、複数のフェムト無線基地局（ＨＮＢ）を使用したＷ−ＣＤＭＡ方式の無線通信システムに適用した場合を例に挙げて説明する。
（第１の実施形態）
図１を参照すると、本実施形態の無線通信システムは、フェムト無線基地局１００Ａ，１００Ｂ，１００Ｃと、インターネットなどを経由してフェムト無線基地局１００Ａ，１００Ｂ，１００Ｃに接続されるＨＮＢ  ＧＷ（HNB  Gateway）４００と、を有している。
【００２４】
フェムト無線基地局１００Ａ，１００Ｂ，１００Ｃの各々は、セル２００を形成し、自局のセル２００内の移動局（不図示）に対してＭＢＭＳデータを送信する。
【００２５】
このとき、フェムト無線基地局１００Ａ，１００Ｂ，１００Ｃが、ＭＢＭＳデータの送信用のチャネルに、同一の無線パラメータセット（周波数、スクランブリングコード（Scrambling  Code）、チャネライゼーションコード（Channelisation  Code）、スロットフォーマット（Slot  Format）、ＴＦＳ（Transport  Format  Set）等）を設定し、同一のＭＢＭＳデータを移動局に送信することにより、フェムト無線基地局１００Ａ，１００Ｂ，１００ＣをまたがったＭＢＳＦＮクラスター３００を形成することが可能になる。
【００２６】
本実施形態においては、フェムト無線基地局１００Ａ，１００Ｂ，１００Ｃの各々は、自局がマスター（Master）であるかまたはスレーブ（Slave）であるかを示すマスターフラグ（Master  Flag）１１１を記憶している。
【００２７】
また、１台のフェムト無線基地局１００Ｂだけ、マスターフラグ１１１が“１”に設定されていて、他のフェムト無線基地局１００Ａ，１００Ｃは、マスターフラグ１１１が“０”に設定されている。つまり、フェムト無線基地局１００Ｂがマスターフェムト無線基地局として振る舞い、他のフェムト無線基地局１００Ａ，１００Ｃがスレーブフェムト無線基地局として振る舞うことになる。
【００２８】
そして、フェムト無線基地局１００Ｂが無線パラメータセットを決定し、その無線パラメータセットをフェムト無線基地局１００Ａ，１００Ｂ，１００Ｃの各々がチャネルに設定することで、ＭＢＳＦＮクラスター３００を形成する。
【００２９】
ここで、本実施形態のフェムト無線基地局１００Ａ，１００Ｂ，１００Ｃの詳細な構成について説明する。ここでは、図２を参照して、フェムト無線基地局１００Ａの構成を説明するが、他のフェムト無線基地局１００Ｂ，１００Ｃも同様の構成であるものとする。
【００３０】
図２を参照すると、本実施形態のフェムト無線基地局１００Ａは、記憶部１１０と、通信部１２０と、制御部１３０と、を有している。
【００３１】
記憶部１１０は、上述のマスターフラグ１１１を記憶している。ここでは、マスターフラグ１１１は“０”に設定されている。
【００３２】
通信部１２０は、自局のセル２００内の移動局または他のフェムト無線基地局１００Ｂ，１００Ｃと無線通信を行う無線通信部１２１と、ＨＮＢ  ＧＷ４００または他のフェムト無線基地局１００Ｂ，１００Ｃと有線通信を行う有線通信部１２２と、を有している。
【００３３】
制御部１３０は、決定部１３１と、通知部１３２と、取得部１３３と、設定部１３４と、を有している。
【００３４】
決定部１３１は、自局がマスターフェムト基地局である場合、つまり、マスターフラグ１１１が“１”に設定されている場合、ＭＢＭＳデータの送信用のチャネルに設定する無線パラメータセットを決定する。
【００３５】
通知部１３２は、自局がマスターフェムト基地局である場合、決定部１３１にて決定された無線パラメータセットを、通信部１２０を経由して、他のフェムト無線基地局１００Ｂ，１００Ｃに通知する。
【００３６】
取得部１３３は、自局がマスターフェムト基地局でない場合、つまり、マスターフラグ１１１が“０”に設定されている場合、マスターフェムト基地局から通知された無線パラメータセットを取得する。
【００３７】
設定部１３４は、自局がマスターフェムト基地局である場合、決定部１３１にて決定された無線パラメータセットをチャネルに設定し、自局がマスターフェムト基地局でない場合、取得部１３３にて取得された無線パラメータセットをチャネルに設定する。
【００３８】
以下、本実施形態の無線通信システムの動作について説明する。
【００３９】
マスターフェムト無線基地局となるフェムト無線基地局１００Ｂにおいては、上位ノードのＨＮＢ  ＧＷ４００からＭＢＭＳの開始要求を受信すると、決定部１３１は、ＭＢＭＳデータの送信用のチャネルに設定する無線パラメータセットを決定する。無線パラメータセットの決定方法としては、フェムト無線基地局１００Ｂ内に事前に保持されたデータベース（不図示）の中から選択する方法や、フェムト無線基地局１００Ｂが使用可能な無線パラメータを適宜選択する方法などが考えられる。
【００４０】
次に、フェムト無線基地局１００Ｂにおいては、設定部１３４は、決定部１３１にて決定された無線パラメータセットをチャネルに設定し、また、通知部１３２は、その無線パラメータセット、その無線パラメータセットを使用して送信するＭＢＭＳデータの識別子と送信タイミング、および、その無線パラメータセットを設定した設定日時を、報知情報に含めて送信する。
【００４１】
次に、スレーブフェムト無線基地局となるフェムト無線基地局１００Ａ，１００Ｃにおいては、取得部１３３は、近隣のマスターフェムト無線基地局または他のスレーブフェムト無線基地局から報知情報で送信されている無線パラメータセット、ＭＢＭＳデータの識別子と送信タイミング、無線パラメータセットの設定日時を取得する。
【００４２】
フェムト無線基地局１００Ａ，１００Ｃにおいては、もし、取得部１３３にて取得された無線パラメータセットの設定日時が、その時点でチャネルに設定している無線パラメータセットの設定日時よりも後であれば、設定部１３４は、取得部１３３にて取得された無線パラメータセットをチャネルに設定し、また、通知部１３２は、自局のセル２００においても近隣のマスターフェムト無線基地局または他のスレーブフェムト無線基地局から送信されている報知情報と同じ報知情報を送信する。
【００４３】
つまり、スレーブフェムト無線基地局となるフェムト無線基地局１００Ａ，１００Ｃにおいては、マスターフェムト無線基地局から報知情報で送信されている無線パラメータセットを、マスターフェムト無線基地局から直接または他のスレーブフェムト無線基地局を介して間接的に取得することになる。
【００４４】
以上の動作の結果、フェムト無線基地局１００Ａ，１００Ｂ，１００Ｃの各々は、同一の無線パラメータセットをチャネルに設定することが可能になるため、無線基地局制御局（ＲＮＣ）がなくても、ＭＢＳＦＮクラスター３００を形成することが可能となる。
（第２の実施形態）
本実施形態の無線通信システムの全体構成は、第１の実施形態と同様である。
【００４５】
本実施形態のフェムト無線基地局１００Ａ，１００Ｂ，１００Ｃの各々は、自局が属するグループを意識し、自局と同一のグループに属する他のフェムト無線基地局との間でＭＢＳＦＮクラスター３００を形成する。
【００４６】
ここで、本実施形態のフェムト無線基地局１００Ａ，１００Ｂ，１００Ｃの詳細な構成について説明する。ここでは、図３を参照して、フェムト無線基地局１００Ａの構成を説明するが、他のフェムト無線基地局１００Ｂ，１００Ｃも同様の構成であるものとする。
【００４７】
図３を参照すると、本実施形態のフェムト無線基地局１００Ａは、図２の構成と比較して、記憶部１１０内に、自局と同じグループに属するフェムト無線基地局のセルＩＤ（Cell  ID）のリスト１１２を記憶している点が異なる。
【００４８】
この場合、設定部１３４は、自局がマスターフェムト基地局でない場合、取得部１３３にて無線パラメータセットを取得した近隣のフェムト無線基地局が、リスト１１２に登録されているセルＩＤをもつフェムト無線基地局であるかどうかをモニタする。そして、設定部１３４は、登録されているセルＩＤをもつフェムト無線基地局から取得した無線パラメータセットはチャネルに設定するが、登録されていないセルＩＤをもつフェムト無線基地局から取得した無線パラメータセットは無視する。
【００４９】
なお、第１および第２の実施形態においては、フェムト無線基地局１００Ａ，１００Ｂ，１００Ｃ間での無線パラメータセットの通知方法として、報知情報を用いたが、ＭＣＣＨ（Multicast  Control  Channel）を用いる方法もある。
【００５０】
また、無線パラメータセットの通知方法としては、報知情報やＭＣＣＨなどを用いて無線で通知する方法だけではなく、有線で通知する方法もある。
【００５１】
例えば、同じネットワークアドレス配下に全フェムト無線基地局１００Ａ，１００Ｂ，１００Ｃが存在するならば、マスターフェムト無線基地局が、ＭＡＣアドレス（Media  Access  Control  address）を指定して、必要なスレーブフェムト無線基地局へ無線パラメータセットを通知する方法がある。
【００５２】
また、異なるネットワークアドレス配下にフェムト無線基地局１００Ａ，１００Ｂ，１００Ｃが存在しているならば、マスターフェムト無線基地局が、ＩＰ（Internet  Protocol）アドレスを指定して、必要なスレーブフェムト無線基地局へ無線パラメータセットを通知する方法もある。
【００５３】
また、ＨＮＢ  ＧＷ４００に各フェムト無線基地局１００Ａ，１００Ｂ，１００Ｃがマスターであるのかスレーブであるのかがわかるリストを登録しておき、マスターフェムト無線基地局が、決定した無線パラメータセットをＨＮＢ  ＧＷ４００に転送し、ＨＮＢ  ＧＷ４００が、必要なスレーブフェムト無線基地局に無線パラメータセットを通知する方法もある。
【００５４】
また、第１および第２の実施形態においては、無線パラメータセットが新しいか古いかを判断するのに無線パラメータセットの設定日時を使用したが、設定日時の代わりにシーケンス番号（Sequence  Number）を使用し、無線パラメータセットを更新する度にシーケンス番号の値を増加させて新たな値にしてもよい。
【００５５】
また、第１および第２の実施形態においては、本発明を、Ｗ−ＣＤＭＡ方式の無線通信システムに適用した例を説明したが、ＬＴＥ（Long  Term  Evolution）方式の無線通信システムにも適用することができる。
【００５６】
この場合、ＭＢＭＳデータを送信するためのＲｅｓｏｕｒｃｅ  Ｂｌｏｃｋの無線パラメータセットを、無線基地局（ＨｅＮＢ：Home  evolved  Node  B）間で揃えることにより、無線基地局（ＨｅＮＢ）をまたいだＭＢＳＦＮクラスターが形成可能となる。
【００５７】
例えば、Ｒｅｓｏｕｒｃｅ  Ｂｌｏｃｋの無線パラメータセットを揃える方法としては、Ｒｅｓｏｕｒｃｅ  Ｂｌｏｃｋ  Ｎｕｍｂｅｒを指定する方法や、ＭＢＭＳデータの割り当て時間や割り当て周波数を指定する方法や、ＭＢＭＳデータを割り当てるサブキャリア番号およびシンボル番号を指定する方法などがある。
【００５８】
また、本発明のフェムト無線基地局１００Ａ，１００Ｂ，１００Ｃにて行われる方法は、コンピュータに実行させるためのプログラムに適用してもよい。また、そのプログラムを記憶媒体に格納することも可能であり、ネットワークを介して外部に提供することも可能である。
【００５９】
以上、実施例を参照して本発明を説明したが、本発明は上記実施例に限定されものでない。本発明の構成や詳細には、本発明の範囲内で当業者が理解し得る様々な変更をすることができる。
【００６０】
本出願は、２００９年４月２８日に出願された日本出願特願２００９−１０９２８５を基礎とする優先権を主張し、その開示の全てをここに取り込む。
【図１】
0005565409.tif 000002
【図２】
0005565409.tif 000003
【図３】
0005565409.tif 000004